(57)【特許請求の範囲】
【請求項１】
周囲密封式の計器回路用アダプタであって、
処理送信機のコネクタヘッダに内蔵された接触ピンに噛合できるよう形成され、かつ、計器回路の導電体に接続できるよう形成された接触ソケットと、
前記コネクタヘッダにネジ取付けできるように形成されたネジを備え、リップ片をもつスリーブと、
前記計器回路の回路導電体を密閉できるよう形成され、かつ、前記リップ片と前記密閉面との間に弾性リム部を備えた周囲密封式弾性ブーツと、
前記スリーブを、弾性リム部がねじれないようネジ込んで、弾性リムと密閉面の間の防水シールを形成できるよう前記コネクタヘッダに締付ける際、前記リップ片に対してスライド移動できるような座金面を有する、前記リップ片と前記弾性リム部間に配置された少なくとも１個のワッシャとから成る周囲密封式計器回路用アダプタ。
【請求項２】
さらに、前記リップ片と前記弾性リム部との間にスライド移動する座金面を備えた複数のワッシャから成る、請求項１に記載の計器回路用アダプタ。
【請求項３】
ケーブルパッキン封じにより前記導電体が前記アダプタに封着されている、請求項１に記載の計器回路用アダプタ。
【請求項４】
前記弾性ブーツが前記回路導電体の周囲に型取りされている、請求項１に記載の計器回路用アダプタ。
【請求項５】
さらに、前記スリーブの外縁部の外側に延びる滴下シールド部を備えた、請求項１に記載の計器回路用アダプタ。
【請求項６】
前記滴下シールド部に傾斜した底面を備えた、請求項５に記載の計器回路用アダプタ。
【請求項７】
前記弾性ブーツが、導電体に沿ってブーツ端部にまで延びるブーツ延長部を備えており、その延長部が９０度以上の彎曲が可能となる長さであるような、請求項１に記載の計器回路用アダプタ。
【請求項８】
前記回路配線が、電気検査用フックと接続できるよう構成されたサービス接点に接続している第2配線端部を備える、請求項１に記載の計器回路用アダプタ。
【請求項９】
前記回路配線が、通常ＡＮＳＩ規格Ｂ９３．５５Ｍに準拠する電気コネクタに接続している第２配線端部を備える、請求項１に記載の計器回路用アダプタ。
【請求項１０】
前記回路配線が、通常ＩＥＣ  ６０９４７‐５‐２に準拠する電気コネクタに接続している第２配線端部を備える、請求項１に記載の計器回路用アダプタ。
【請求項１１】
前記弾性ブーツがサントプレーン製である、請求項１に記載の計器回路用アダプタ。
【請求項１２】
前記弾性ブーツがモノプレーン製である、請求項１に記載の計器回路用アダプタ。
【請求項１３】
周囲密封式の計器回路用アダプタであって、
処理送信機のコネクタヘッダに内蔵された接触ピンに噛合できるよう形成された接触ソケットと、
前記コネクタヘッダにネジ取付けできるよう形成され、そのヘッダに対面するようなリップ片をもつスリーブと、
前記リップ片に対面し、密封溝部を有する座金面を備えた、前記リップ片と前記ヘッダ間に配置された底孔を有するカップ形のワッシャ（以下、カップ型ワッシャという）と、
前記接触ソケットに接続する第2ピンを備え、計器回路の導電体に接続できるよう構成され、前記カップ型ワッシャの中央部に一体形成された回路用電気コネクタと、
前記スリーブを前記ヘッダにネジ留する際に、前記リップ片に封着するよう構成され、前記密封溝部に配置された防水弾性シールとから成る計器回路用アダプタ。
【請求項１４】
前記第２ピンが、ＲＦＩ／ＥＭＩフィルタを介して前記接触ソケットに接続している、請求項１３に記載の計器回路用アダプタ。
【請求項１５】
周囲密封式の計器回路用アダプタであって、
処理送信機のコネクタヘッダに内蔵された接触ピンに噛合でき、かつ、２線式４−２０ｍＡループの第１配線端部に接続するよう構成された接触ソケットと、
前記ヘッダの密閉面に対面するリップ片を備え、前記ヘッダにネジ取付けできるよう構成されたスリーブと、
計器ループのループ導電体に封着するよう構成され、前記リップ片と前記密閉面との間に弾性リム部を備えた周囲密封する弾性ブーツと、
前記スリーブを、弾性リム部がねじれないようネジ込んで、弾性リムと密閉面の間の防水シールを形成できるよう前記コネクタヘッダに締付ける際、前記リップ片に対してスライド移動できるような座金面を有する、前記リップ片と前記弾性リム部間に配置された少なくとも１個のワッシャとから成る周囲密封式の計器回路用アダプタ。
【請求項１６】
さらに、前記弾性ブーツ内に回路基板を備える、請求項１５に記載の計器回路用アダプタ。
【請求項１７】
前記回路基板がＲＦＩ／ＥＭＩフィルタを備える、請求項１５に記載の計器回路用アダプタ。
【請求項１８】
さらに、前記コネクタヘッダの外側面と前記スリーブとの間にＯリングシールを備える、請求項１５に記載の計器回路用アダプタ。
【発明の詳細な説明】
【０００１】
発明の分野
本発明は、工業用流体処理プラントで使用するための、流体の特性を測定する送信機などの装置に関するものであって、特に、汚染物質が存在する可能性のある工業環境における計器ループを経由して伝送を実行するような、電気接続式処理送信機に関するものである。
【０００２】
背景技術
処理送信機とは、油の精製や化学処理プラントなどにおける工業処理工程のモニタに利用される装置である。圧力送信機のような処理送信機は、一般的に、液体、ほこり、湿気といった様々な産業汚染物質が存在する場所に設置された流体処理プラントに取付けられる。また、その環境によっては、酸性、または、塩基性溶液などの処理用液体が存在する場合もある。前記の汚染液体には、プラント内の機器清掃用のホースによる水飛沫も含まれる。前記処理送信機、および、その電気接続部には、これらの液体が滴ったり、飛び散ったり、しぶきがかかったりすることがあり、また、処理工程の環境内に存在するほこり、湿気、液体によって、処理送信機との電気接続部が汚れたり、劣化してしまう恐れがあるのである。
【０００３】
処理送信機は、汚染物質によるループ配線および電気接続部の劣化を防ぐために、通常、密封式電気配管に接続可能で、かつ、密閉された配線区画部に取付けられる。しかしながら、ヘッダ式のコネクタを使用した小型処理送信機には、そのヘッダの露出部分である電気接触ピンを汚染物質から保護するための密閉配線区画部が装備されていない。
【０００４】
以上のことから、余分な費用や大げさな配線区画部を必要とせず、処理送信機のヘッダ内の接触ピンと結合可能で、かつ、前記接触ピンおよび配線を汚染物質から保護できるような、保護アダプタが要望されるのである。
本発明の要旨
本発明による周囲密封式電気アダプタは、接触ピン、接触ソケット、および配線を、液体や湿気などの汚染物質から保護する役割をもつ。
【０００５】
前記アダプタには、処理送信機ヘッダ内の接触ピンとの接合が可能であるソケットに一端が接続された配線が備わっている。また、前記アダプタは、ヘッダにネジ留め可能なスリーブを装備することが可能である。該スリーブは前記筒状ヘッダと対面するようなリップ片を備えている。
【０００６】
前記リップ片と筒状ヘッダの間には、周囲密封する弾性部品とワッシャが圧着されている。このワッシャは、リップ片をネジ締めした際に、そのリップ片に対してスライド移動するワッシャ表面を備えている。前記弾性部分は圧縮されて、その弾性部分と密封面との間に防水性の密閉部分が形成される。
【０００７】
前記接触ピン、接触ソケット、および配線端部は、前記弾性部分により効果的に周囲密封されるため、環境汚染物質による汚染から保護されている。
【０００８】
図面の簡単な説明
図１は、ヘッダと接触ピンを備えた小型圧力送信機の断面図である。
図２は、ヘッダに取付けられる周囲密封式アダプタの断面図である。
図３は、ヘッダに取付けられる、ＲＦＩ／ＥＭＩフィルタを備えた周囲密封式アダプタの断面図である。
図４は、ＲＦＩ／ＥＭＩフィルタの概略図である。
図５は、滴下シールド部とブーツ延長部を備えたアダプタを示す。
図６は、ケーブルグランドシール部を備えた周囲密封式アダプタを示す。
図７は、標準的コードセット用のコネクタを備えた周囲密封式アダプタを示す。
図８Ａ、８Ｂは、弾性滴下シールド部を示す。
【０００９】
本発明の好適実施例の詳細な説明
本発明による周囲密封式電気アダプタは、処理送信機を、複数の配線をもつ計器回路に接続するものである。弾性部分である周囲密閉部が、ネジ留めされた外部スリーブ上のリップ片と処理送信機のネジ留めされたコネクタヘッダとの間にある配線と取付部を密閉する。スラストワッシャによって、リップ片と弾性部分がスライド移動するので、ネジを締めた際にも弾性部分がねじれることはない。前記弾性部分はネジを締めても平坦さを維持するので、使用環境に存在する汚染物質に対する優れた密封性が達成される。つまり、前記アダプタにより、接触ピン、接触ソケット、および、ループの配線は、処理送信機にかかるしぶきや、滴ったり、飛び散ったりする液体だけでなく、ほこりや湿気といった汚染物質からも保護されるのである。前記アダプタを使用すれば、２線式配線ループやデジタルデータ接続などのあらゆる種類の電気接続が、送信機において可能である。
【００１０】
図１は、差圧送信機１００の断面図である。この差圧送信機１００は、周囲密封式アダプタ（図１には図示しない）を取付けることで、計器回路との接続が可能となる処理送信機の一例である。
前記送信機１００は、電気コネクタのヘッダ１０６に封着する外壁部１０４を備えた、小型の送信機ハウジング体１０２を含む。送信機のハウジング体１０２は、アイソレータ薄板（ダイアフラム）１１０をもつ共面流体入口部１０８を２つ備えている。入口部１０８からの差圧は、流路内に密閉されたアイソレータ流体１１２によって、送信機１００内の容量差圧センサ１１４へ伝送される。
【００１１】
前記送信機１００は、筒状の外枠体、つまり、ヘッダ１０６と、電気接触部、つまり、ピン１２０の密封絶縁貫通部１１８とを備えた密封貫通の電気コネクタ１１６を有する。ヘッダ１０６は、外側ネジ部１０７を備える。２つ、または、３つ以上の接触ピン１２０を通って、送信機１００と通信するためのループデータが伝送される。
【００１２】
回路基板１２２は、圧力センサ１１４に電気的に結合している。この回路基板１２２は、前記圧力センサ１１４からのデータを処理し、入口部１０８の差圧値を伝送するために接触ピン１２０のループ電流を制御する。前記圧力は、４−２０ｍＡアナログ電流で示すこともできるし、あるいは、ＨＡＲＴ、ＣＡＮ、基礎フィールドバス（Foundation Fieldbus）、プロフィバス（Profibus）といった周知のデジタルプロトコルや、その他の流体処理制御業界において周知であるデジタル通信プロトコルを使用して表示することも可能である。
【００１３】
前記外壁部１０４は、円形溶着継部１２４に沿ってヘッダ１０６と溶着されて、ハウジング体１０２の内部に密閉された空洞部を形成していることが好ましい。絶縁貫通部１１８には、小型差圧送信機１００内の密閉空洞部１２６を気密封止できるよう、その毛細管１２８を密封する前に漏洩検査を行うための毛細管１２８が装備されている。
【００１４】
図１に示す送信機１００は小型の送信機なので、工程現場において計器回路に接続するための密閉配線区画部を備えていない。つまり、接触ピン１２０と絶縁貫通部１１８は、送信機１００の外部に露出しているため、流体処理プラント環境に存在するほこりや湿気、あるいは滴ったり、飛び散ったり、しぶきかかったりする液体などの汚染物質に接触してしまう可能性が高いのである。
【００１５】
図２は、図１の送信機１００のような処理送信機のヘッダ１３２に封着させる周囲密封式計器回路アダプタ１３０の断面図である。アダプタ１３０には、前記コネクタヘッダ１３２に内蔵の複数の接触ピン１３６に噛合するよう設計された複数の電気接触ソケット１３４が備わっている。コネクタヘッダ１３２は、その毛細管１３７を密閉する前に漏洩を検査するための毛細管１３７も備えている。また、コネクタヘッダ１３２は、１３８で処理送信機のハウジング体（図２には図示しない）に溶接されている。前記複数の電気接触ソケット１３４は、複数配線式計器回路１４２の対応する第１配線端部１４０に接続するように設計されている。筒状スリーブ１４４は、ヘッダ１３２にネジ留めされる。前記スリーブ１４４は、ヘッダ１３２上の密封面１４８に、弾性ブーツ（保護カバー）１５０の弾性リム部１５２を圧付けるためのリップ片を備えている。弾性ブーツ１５０は、ループ配線１４２に対して周囲密封されている。なお、弾性ブーツ１５０は、ループ配線１４２の形状に沿って型取りされていることが好ましい。弾性ブーツ１５０は、リップ片１４６と密封面１４８との間に、弾性リム部１５２を形成する。また、少なくとも１つのワッシャ１５４が、リップ片１４６と弾性リム部１５２との間に設置される。弾性リム部１５２と密封面１４８との間に周辺密閉を形成するためにスリーブ１４４をネジ１５６に締付けた場合に、縁部１５２がねじれないようにするため、ワッシャ１５４には、滑らかで、リップ片１４６に対してスライド移動可能な座金面が備わっている。その結果、弾性リム部１５２は、均一に圧縮されて、密封面１４８と連続するような円状密閉部を形成する。
【００１６】
前記ワッシャ１５４は、スラスト座金としても機能できる。ワッシャ１５４は、前記弾性リム部１５２へ圧力を均一に分布させる一方で、スリーブ１４４がネジ留めされる際に、ねじり応力が弾性リム部１５２に実質的にかからないよう回転方向にスライド移動できる。ある好適実施例での構造では、リップ片１４６と弾性リム部１５２との間には、滑らかなスライド面を備えた複数のワッシャ１５４が取り付けられている。また、随意で、前記ワッシャ１５４に自動センタリング式ワッシャを採用しても構わない。
【００１７】
アダプタ１３０は、また、電気接触ソケット１３４の位置を決定し、かつ、支持する剛性の絶縁支持部１５８を備えている。支持部１５８の底面にある第１のＯリング１６０と、スリーブ１４４とヘッダ１３２の間にある第２のＯリング１６２によって、さらなる防湿密閉が実現される。いくつかの実施例において、前記ワッシャ１５４、および／または、Ｏリング１６２は、分離したものではなく、それ以外の部品と一体形成されている場合もある。
【００１８】
図３は、オプション回路１６４を備えた周囲密封式アダプタ１３１の断面図である。回路１６４は、ＲＦＩ／ＥＭＩフィルタなどであって構わない。アダプタ１３１は図２のアダプタ１３０と同様のものなので、類似または同一の部品には、図２と同じ参照番号を付けた。アダプタ１３１では、計器回路１４２の第１配線端部１４０が、電気接触ソケット１３４に直接接続されておらず、ＲＦＩ／ＥＭＩフィルタ１６４を介して間接的に接触ソケット１３４と接続している。計器回路１４２からの信号は、前記ＲＦＩ／ＥＭＩフィルタ１６４を通過した後、配線１４１によって電気接触ソケット１３４へ伝達される。ＲＦＩ／ＥＭＩフィルタ１６４は、無線周波数ノイズ（ＲＦＩ）のフィルタ処理、または、電磁妨害ノイズ（ＥＭＩ）フィルタ処理を実行するための電気部品を備えた回路基板から成る。前記のようなＲＦＩ／ＥＭＩフィルタ回路の一例を、図４を用いながら以下に詳細に説明する。ＲＦＩ／ＥＭＩフィルタ回路１６４の周囲には、図示するように弾性のブーツ１５１が形成されている。好適実施例によっては、前記ＲＦＩ／ＥＭＩフィルタ回路１６４は、前記弾性ブーツ１５１に型込め形成されていることもある。
【００１９】
図４は、ＲＦＩ／ＥＭＩフィルタ１７０の電気的概略図である。フィルタ１７０は、計器回路１４２に接続しており、また、アダプタ１３１の複数の接触ピン１３４にも接続している。フィルタ１７０は、ローパス周波数、または、バンドパス周波数の特性を備えることが可能である。フィルタ１７０によって、計器回路１４２からのより低い周波数の通信信号が、アダプタ１３１の接触ピン１３４へ伝送されるのである。しかしながら、より高い周波数のノイズは、フィルタ１７０によって排除、または、遮断されるため、前記アダプタの接触ピン１３４まで到達しない。信号電流は、点線１７２で示した回路経路に沿って、整流器１９４、誘導子１７６、抵抗器１７８、処理送信機、誘導子１８０、計器回路１４２を経由して流れる。前記計器回路からのノイズ（ＲＦＩ／ＥＭＩ）は、前記ループ、誘導子１７６、１８０、キャパシタ１８４、１８６、１８８、１９０のインピーダンスで形成されたπ型ローパスフィルタによって、アース１８２へ誘導される。ある好適実施例においては、ローカルシリアル通信信号用に個別の導線１９２が設置されており、このローカルシリアル通信信号を利用して、送信機の数メートル範囲内の短距離において通信を行うことが可能である。また、前記ローカルシリアル通信信号を利用すれば、送信機の電気的プログラムや、近距離に設置された送信機間の局地通信も可能となる。個別の導線１９２とアース１８２の間にはキャパシタ１９４が接続されており、ＥＭＩ／ＲＦＩノイズを抑制する。前記計器回路で使用するデータ通信プロトコルの周波数に応じて、多様な種類のＥＭＩ／ＲＦＩフィルタ回路を採用することが可能である。
【００２０】
さらに、要望があれば、前記アダプタ（略図で表示）にローカル接続部１９６を設置することもできる。このローカル接続部１９６により、整流器１９４において、ダルソンバール計器動作などのローカル表示装置を局地接続することが可能となる。また、前記ローカル接続部１９６を介して、ローズマウント（Rosemount）２７５型ＨＡＲＴ通信器などのハンドヘルド式シリアル通信装置を計器ループに接続すれば、技術者による検査、修理、測定操作が実行可能となる。前記ローカル接続部１９６を、弾性ブーツの追加リードとして配置することもできる。また別の方法として、マッコイ（McCoy）らによる米国特許第５，７１０，５５２号に図示された回線に沿って、前記ローカル接続部を、電気検査用フックに接続するよう構成されたサービス接点を備えた密閉Ｔ型アダプタとして形成してもよい。
【００２１】
図５は、処理送信機２０２に取付けられたアダプタ２００を示す。このアダプタ２００は、図２に示すアダプタ１３０に類似するものであるが、異なる特徴として、弾性ブーツ２０４が、滴下シールド部２０６とブーツ延長部２０８とを包含するように外部へ延長している。この滴下シールド部２０６は、スリーブ２１０の外縁部の外側に延びており、アダプタ２００のスリーブ２１０の縁辺上で一種の「傘」を形成する。このため、もし液体２１１がブーツ延長部２０８に滴り落ち、アダプタ２００方向へ流れたとしても、前記液体は滴下シールド部２０６に沿って流れ、２１２で示すように外へ流れ落ちるため、アダプタ２００内へ流入することはない。ブーツ延長部２０８は、ループ配線に沿ってブーツ端部にまで延びるような長さをもち、９０度以上に彎曲するのに適している。そのため、前記ブーツ延長部に滴った液体２１１は、２１４で示すように下方向へ流れ落ちるのである。つまり、前記ブーツ延長部の端部が下方向へ向いているため、ブーツ延長部２０８端部へ重力によって液体が流れ込むことはないのである。
【００２２】
図６は、ケーブルグランドシール２３２を備えた周囲密閉式アダプタ２３０を示す。ケーブルグランドシール２３２は、ケーブル２３４の周りを密封するために圧縮される圧縮スリーブである。アダプタ２３０は、図３に示すアダプタに類似するものであるが、異なる特徴として、このアダプタ２３０は、現場の技術者によって計器回路ケーブル２３４の端部に取付けることが可能である。アダプタ２３０は、複数の回転ネジ式圧縮端子２３６と、回路基板２４０とフィードスルー導電体２４４の周囲に取付けられたフェライトスリーブ誘導子２４２とを備えたＲＦＩ／ＥＭＩフィルタとから成る。さらに、アダプタ２３０は、アダプタリング２４８によってヘッダ２４６に取付けられる。前記ケーブルグランドシール２３２は、ネジ留めされたグランドナット２５２で圧縮された弾性の密閉部２５０を備える。
【００２３】
図７は、一般的なコードセットと接続するための円状コネクタ２７６を備えた周囲密封式アダプタ２７５を示す。
【００２４】
前記アダプタ２７５は、周囲密封式計器ループ用アダプタであって、処理送信機のコネクタヘッダ２８２に内蔵の接触ピン２８０と噛合うような接触ソケット２７８を備える。アダプタ２７５は、また、環状コネクタ２７６により、計器ループに接続するコードセット（図示しない）の第1配線端部と接続される。
【００２５】
前記接触ソケット２７８は、処理送信機のコネクタヘッダ２８２に内蔵された接触ピン２８０と噛合うよう、硬質プラスチック製の絶縁支持部２９２の内部に形成されている。
【００２６】
前記スリーブ２８４は、ネジ部２８６においてヘッダ２８２にネジ留めされており、前記ヘッダ２８２に対面するリップ片２８８を備える。前記リップ片２８８とヘッダ２８２の間には、底孔を有するカップ形状のワッシャ２９８が設置されている。このカップ型ワッシャ２９８には、前記リップ片２８８に対面し、密閉グルーブ部２９９をもつ座金面３００が備わっている。
【００２７】
前記環状コネクタ２７６は、カップ型のワッシャ２９８の中央に一体形成されており、ＲＦＩ／ＥＭＩフィルタ２９５を経由して前記接触ソケット２７８と接続する複数の第２ピン２７７を備える。また、環状コネクタ２７６は、標準的なコードセットを使って計器ループに差込めるプラグの構造をもつ。
【００２８】
防水性を備えた弾性密閉部３０１は、密閉グルーブ部２９９内に配置されており、前記スリーブ２８４がヘッダ２８２にネジ留めされると、リップ片２８８に封着する。なお、弾性密閉部３０１には、標準的なＯリングを採用することもできる。
【００２９】
図８Ａと８Ｂには、弾性素材で型形成された弾性滴下シールド部３００を示す。滴下シールド部３００は、ケーブル３０４用の中央経路３０２を備えており、３０８で概略的に示す周囲密封式計器ループ用アダプタにケーブル３０４を取付けた後、ケーブル３０４上を容易にスライド移動できるように、３０６において分割されている。滴下シールド部３００は、前記アダプタ３０８の液体を排除する「傘」の役割をもつ。滴下シールド部３００は、アダプタ３０８の外側に放射状に延びており、アダプタ３０８から水滴を排除し易いような円錐状の斜面３１０と３１２を備える。つまり、滴下シールド部３００は、図５に示す一体型滴下シールド部２０６の代用部品なのである。この滴下シールド部３００により、アダプタ３０８へ侵入する湿気に対する防水性が付加される。
【００３０】
図２、３、５、６に示した周囲密封式弾性ブーツと、図５、８Ａ、８Ｂの滴下シールド部は、サントプレーンやモノプレーンなどの弾性素材で形成されることが好ましい。また、前記支持体１５８と１５９は、バロックスなどの硬質プラスチックで形成されることが好ましい。
【００３１】
前記スリーブのネジ部には、１‐１／８”−１８のＵＮＥＦネジを使用することが好ましい。また、図７に示す円状コネクタ２７６は、ＡＮＳＩのＢ９３．５５Ｍ‐１９８１（Ｒ１９８８）との互換性をもち、ＩＥＣ  ６１０７６‐２‐１０１に準拠した機能性を備えていることが好ましい。なお、円状コネクタ２７６には、Ｍ１２ネジを備えたユーロノームＥＮ  ６０９４７‐５‐２  に適用可能なコネクタを採用することも可能である。
【００３２】
本発明では、使用中の送信機のプラグを抜き、新しい送信機のプラグを差込むだけで、現場において容易に送信機の取替えを行うことができる。また、各接続も素早く実現でき、人為的ミスが発生する可能性も少ない。前記接続においては、配線区画部や大型の端子ブロックの配備も不用である。
【００３３】
本発明について、いくつかの好適実施例を用いて説明してきたが、本発明の本質や範囲から逸脱することなく、その形態や細部において改良を加えることが可能であることは、当業者にとっては明白であろう。また、ある好適実施例において図示した特徴は、それ以外の実施例においても適用させることが可能である。
【図面の簡単な説明】
【図４】  ＲＦＩ／ＥＭＩフィルタの概略図である。
【符号の説明】
１３０……アダプタ、１３２……コネクタヘッダ、１３４……電気接触ソケット、１３６……接触ピン、１３７……毛細管、１４０……第１配線端部、１４２……複数配線式計器回路、１４４……筒状スリーブ、１４６……リップ片、１４８……密封面、１５０……弾性ブーツ、１５２……弾性リム部、１５４……ワッシャ、１５６……ネジ、１５８……絶縁支持部、１６０……第１のＯリング、１６２……第２のＯリング
【図１】
0003798693.tif 000002
【図２】
0003798693.tif 000003
【図３】
0003798693.tif 000004
【図４】
0003798693.tif 000005
【図５】
0003798693.tif 000006
【図６】
0003798693.tif 000007
【図７】
0003798693.tif 000008
【図８Ａ】
0003798693.tif 000009
【図８Ｂ】
0003798693.tif 000010